(57)【要約】【課題】傘の構成部品を分別廃棄するに際して、例えば合成樹脂製の上ろくろを例えば金属製の中軸から容易に外すことができるようにするとともに、中軸に対する上ろくろの回転方向の抵抗力を高める。【解決手段】中軸２の上ろくろ位置決め孔６に係入される係合突起を内周面に備えた上ろくろ本体１８に、親骨枢支ディスク２０が外周面に上方から嵌着される円筒部と、この円筒部の上方に連接された雄ねじ３２と、上端から軸線を含む面に沿って少なくとも円筒部まで延びる一対の割り溝３４とを形成し、係合突起を円筒部の内周まで延びるように形成する。【選択図】図２
2008125953.tif 000002
【特許請求の範囲】
【請求項１】
傘の中軸の上ろくろ位置決め穴に係入される係合突起を内周面に備えた上ろくろ本体と、親骨の根元部を収容するための複数の親骨収容溝を周縁に放射状に備えて前記上ろくろ本体に嵌着される環状の親骨枢支ディスクとを備え、
前記上ろくろ本体は、前記親骨枢支ディスクが外周面に上方から嵌着される円筒部と、該円筒部の上方に連接された雄ねじとを備え、前記係合突起が前記円筒部の内周まで延びており、
前記係合突起を前記中軸の上ろくろ位置決め穴に係入させた前記上ろくろ本体の前記円筒部の外周面に前記親骨枢支ディスクを嵌着し、かつ該親骨枢支ディスクにすべての親骨の根元部を枢支させた状態で、前記雄ねじに対し上方から固定部材を螺着することにより、前記上ろくろ本体と前記親骨枢支ディスクとが一体化されて前記中軸に固定されるように構成されてなることを特徴とするリサイクル傘の上ろくろ。
【請求項２】
前記上ろくろ本体が、その上端から軸線を含む面に沿って少なくとも前記円筒部まで延びる一対の割り溝を備えていることを特徴とする請求項１記載の上ろくろ。
【請求項３】
前記上ろくろ本体が、前記円筒部の下方に同軸的に連接されて前記親骨枢支ディスクを受けるフランジを備え、前記係合突起が前記フランジの内周まで延び、かつ前記割溝が前記フランジの下方まで延びていることを特徴とする請求項２記載の上ろくろ。
【請求項４】
前記上ろくろ本体が、軸線を含む面に沿って２分割された一対の半円筒体からなることを特徴とする請求項１記載の上ろくろ。
【請求項５】
前記親骨枢支ディスクの上面に、枢軸となる突軸を根元部に備えた親骨の前記突軸を枢支する突軸枢支溝が前記親骨収容溝と直交するように形成されていることを特徴とする請求項１から４のいずれか１項記載の上ろくろ。
【発明の詳細な説明】
【技術分野】
【０００１】
本発明は、製作時における組立てが容易であるのみでなく、修理および分解も容易で、材質別に分別することができ、さらに再利用を可能にすることを目的としたリサイクル傘に関し、特に上ろくろの構造に関するものである。
【背景技術】
【０００２】
通常の傘は、金属製部材（中軸、親骨，支え骨等）と、一般に合成樹脂（以下単に「樹脂」と呼ぶ）からなる非金属製部材（手元、上ろくろ、下ろくろ、シート等）から構成されているが、各部材は恒久的にあるいは分解が極めて困難な状態で連結されている。すなわち、樹脂製の上ろくろは留め釘によって金属製の中軸に固定され、また樹脂製の上ろくろと金属製親骨との連結は、根元部に形成した孔に順次針金（抱き針）を挿通した親骨の根元部を上ろくろの親骨収容溝に収容した後、上記針金を上ろくろの外周の溝に巻き付け、かつこの針金の両端を捩り合わせることにより行なっていた。
【０００３】
したがって、従来の傘は、製作時における組立てに手間がかかるのみでなく、壊れた傘を廃棄する場合に、金属製部材と非金属製部材とを分離して分別廃棄することが困難なため、貴重な資源のリサイクルを困難にしていた。
【０００４】
最近、特に環境汚染問題がクローズアップされている中、傘の分別廃棄を義務付ける地方自治体も多くなってきたために、傘の金属製部材と非金属製部材との分別廃棄を容易にすることが要望されている。
【０００５】
そこで、中軸に対し上ろくろを取り外し可能に取り付ける構造として、特許文献１に開示された構造を採用することが考えられる。特許文献１に開示された上ろくろの取付け構造は、その上ろくろが、中軸挿通孔と、親骨の根元部を収容するための複数の親骨収容溝を周縁に放射状に形成したフランジとを同軸的に備えた円筒体からなり、この上ろくろの上記フランジよりも上方の円筒状部分には、その上端からフランジ側に向かって軸線方向に延びて円筒状部分を二つ割りにする２本の対向する割溝が形成され、かつ円筒状部分の外周面には、雄ねじが形成されている。さらにこの円筒状部分の中軸挿通孔の内周面には、中軸の上ろくろ位置決め穴に係入される一対の係合突起が、上記割溝に対して軸線の周りで９０°偏位した関係をもって互いに対向して形成されている。
【０００６】
このような構成を有する上ろくろを、その係合突起と中軸の上ろくろ位置決め穴との位相を合わせた状態で中軸にその上端から挿入すると、係合突起が中軸の上端に当接するが、割溝の存在によってよって円筒状部分が押し広げられて、係合突起を中軸に沿ってスライドさせながら上ろくろをさらに下方へ押し込むことが可能になり、係合突起が中軸のろくろ位置決め穴に係入する。そして上記雄ねじを備えた円筒状部分の外周面に石突きを螺合することにより、上ろくろが中軸に固定されるように構成されている。
【特許文献１】実開昭５３−１２４０７１号公報
【発明の開示】
【発明が解決しようとする課題】
【０００７】
しかしながら、上述の上ろくろの取付け構造は、取付けは容易であるものの、一旦上ろくろが中棒に固定されると、これを取り外すのが困難である。また、雄ねじを備えた肉薄
の円筒状部分の内周面に係合突起が形成されているため、中軸に対する上ろくろの回転方向の抵抗力が弱いという欠点を有するものであった。
【０００８】
上述の事情に鑑み、本発明の第１の目的は、中軸に対する取付けが容易であるのみでなく、取り外しも容易なリサイクル傘の上ろくろを提供することにある。
【０００９】
本発明の第２の目的は、中軸に対する上ろくろの回転方向の抵抗力を高めることにある。
【００１０】
なお、以下の説明において、上部または上方は傘の石突き側を意味し、下部または下方は傘の手元側を意味するものとする。
【課題を解決するための手段】
【００１１】
本発明による上ろくろは、傘の中軸の上ろくろ位置決め穴に係入される係合突起を内周面に備えた上ろくろ本体と、親骨の根元部を収容するための複数の親骨収容溝を周縁に放射状に備えて上記上ろくろ本体に嵌着される環状の親骨枢支ディスクとを備えている。
【００１２】
上記上ろくろ本体は、上記親骨枢支ディスクが外周面に上方から嵌着される円筒部と、この円筒部の上方に連接された雄ねじとを備え、前記係合突起の少なくとも一部が前記円筒部の内周まで延びている。
【００１３】
そして、上記係合突起を中軸の上ろくろ位置決め穴に係入させた上ろくろ本体の上記円筒部の外周面に上記親骨枢支ディスクを嵌着し、かつこの親骨枢支ディスクにすべての親骨の根元部を枢支させた状態で、上記雄ねじに対し上方から固定部材を螺着することにより、上記上ろくろ本体と上記親骨枢支ディスクとが一体化されて上記中軸に固定されるように構成されてなることを特徴とするものである。
【００１４】
本発明の第１の実施の形態においては、上記上ろくろ本体が、その上端から軸線を含む面に沿って少なくとも上記円筒部まで延びる一対の割り溝を備えている。その場合、上記上ろくろ本体が、上記円筒部の下方に同軸的に連接されて上記親骨枢支ディスクを受けるフランジを備え、前記係合突起が上記フランジの内周まで延び、かつ上記割溝が上記フランジの下方まで延びていることが好ましい。
【００１５】
本発明の第２の実施の形態においては、上記上ろくろ本体が、軸線を含む面に沿って２分割された一対の半円筒体によって構成されている。
【００１６】
双方の実施の形態において、上記親骨枢支ディスクの上面に、枢軸となる突軸を根元部に備えた親骨の上記突軸を枢支する突軸枢支溝が上記親骨収容溝と直交するように形成されていることが好ましい。
【発明の効果】
【００１７】
本発明によれば、上ろくろ本体の内周面に形成されて中軸の上ろくろ位置決め穴に係入される係合突起の少なくとも一部が、親骨枢支ディスクの嵌着部である円筒部の内周まで延びていることにより、中軸に対する上ろくろの回転方向の抵抗力を高めることができる。そして、固定部材を取り外すことにより、容易に上ろくろを中軸と分離させることができる。
【００１８】
また、本発明の第１の実施の形態においては、上ろくろ本体に形成された一対の割り溝が、少なくとも親骨枢支ディスクが嵌着される円筒部まで延びていることにより、さらに本発明の第２の実施の形態においては、記上ろくろ本体が、軸線を含む面に沿って２分割された一対の半円筒体によって構成されていることにより、極めて容易に上ろくろを中軸と分離させることができる。
【００１９】
さらに、上ろくろの主要部が別部材からなる上ろくろ本体と親骨枢支ディスクとによって構成されているから、上ろくろを単一部品で構成する場合に比較して、上ろくろの製作が格段に容易になる利点がある。
【発明を実施するための最良の形態】
【００２０】
以下、図面を参照して本発明による傘の上ろくろの好ましい実施の形態について詳細に説明する。図１は、本発明の第１の実施形態による上ろくろを備えた傘の閉状態における全体構成を、一部を省略して示す概略図である。
【００２１】
図１において、この傘１は、金属製の中軸（支柱）２と、この中軸２の上端部に嵌装固定された合成樹脂製の上ろくろ３と、この上ろくろ３に根元部を枢着された複数の金属製親骨４と、これら親骨４に沿って張架された布製または樹脂製の生地（シート）Ｓと、上ろくろ３を生地Ｓとともに中軸２に固定する陣笠５と、中軸２に摺動自在に嵌装された合成樹脂製の下ろくろ６と、この下ろくろ６に根元部を枢着されかつ先端部を親骨４の中間部の点Ｐにおいて枢着された複数の金属製支え骨８と、中軸２の下端部に固定された合成樹脂製の手元１０とを備えている。中軸２の上端には石突き１４が嵌着されている。
【００２２】
また、この傘１の閉状態において、下ろくろ６を手元１０に近接した位置に係止するための金属製留め金（はじき）１２が、中軸２の外周面から突出する方向にばね付勢された態様で中軸２に出没自在に設けられている。
【００２３】
図２は、図１の傘１の上端部の分解正面図である。なお、図２においては、一対の上ろくろ位置決め孔１６を備えた中軸２が、その軸線の周りで９０°回転した状態で示されている。上ろくろ３は、上ろくろ本体１８と、親骨枢支ディスク２０と、親骨外れ防止ナット２２とによって構成されている。上ろくろ３の上には生地Ｓを介して陣笠５が螺着される。
【００２４】
図３Ａ〜図３Ｄは上ろくろ本体１８を示し、図３Ａは平面図、図３Ｂは正面図、図３Ｃは底面図、図３Ｄは図３Ａの３Ｄ−３Ｄ線に沿う断面図である。
【００２５】
この上ろくろ本体１８は、中軸２の上ろくろ位置決め穴１６に係入される互いに対向する一対の突起２４，２４を内周面に備えた中軸挿通孔２６と、親骨４の根元部を収容するための８個の親骨収容溝２８を周縁にほぼ等間隔に放射状に形成した円板状のフランジ３０とを同軸的に備えた円筒体からなり、フランジ３０の上方には、環状の親骨枢支ディスク２０が嵌着される円筒部３１が連接され、さらにこの円筒部３１の上方には、雄ねじ３２が上端まで形成されているとともに、この上端から軸線を含む面に沿って下方へ延びる一対の割溝３４，３４が設けられている。
【００２６】
上ろくろ本体１８の内周面に形成されている上記一対の突起２４，２４は、図３Ａおよび図３Ｃから明らかなように、上記割り溝３４，３４および軸線を含む面に対して軸線上で直交する面上にあり、かつ上記円筒部３１からフランジ３０に亘る内周面に形成されている。そして上記割り溝３４，３４は、上ろくろ本体１８の上端から軸線と平行に下方へ向かってフランジ３０を通過してフランジ３０の下方まで延びている。
【００２７】
フランジ３０には、一つの同心円上に整列する８個のディスク位置決め孔３６が、隣接する親骨収容溝２８，２８の間の位置においてフランジ３０を貫通して形成されている。
【００２８】
図４Ａ〜図４Ｄは親骨枢支ディスク２０を示し、図４Ａは平面図、図４Ｂは正面図、図４Ｃは底面図、図４Ｄは図４Ａの４Ｄ−４Ｄ線に沿った断面図である。
【００２９】
上ろくろ本体１８のフランジ３０上に添接可能に構成された親骨枢支ディスク２０は、上ろくろ本体１８のフランジ３０とほぼ同径の外径と、上ろくろ本体１８の円筒部３１に嵌着可能な内径の軸孔３７とを備えて環状に構成され、フランジ３０の親骨収容溝２８に対応する８個の親骨収容溝３８を備えている。またその底面には、フランジ３０の８個のディスク位置決め孔３６に嵌合する８本の位置決め突起４０を備え、この親骨枢支ディスク２０がフランジ３０上に添接されると、双方の親骨収容溝２８，３８が一致するように構成されている。
【００３０】
親骨枢支ディスク２０の上面には、親骨４の根元部に形成された突軸４４（図５Ａ）を枢支するための突軸枢支溝４２が、各親骨収容溝３８の両側に親骨収容溝３８と直交するように形成されている。また、親骨枢支ディスク２０の上面の軸孔３７の周囲には突縁４６が形成されている。
【００３１】
図５Ａは、親骨４の根元部を示す底面図、図５Ｂは親骨４の根元部が親骨枢支ディスク２０に枢支された状態を示す平面図である。親骨４の根元部４ａは、上記親骨収容溝２８，３８内に挿入可能なように平に潰されるとともに、枢軸となる突軸４４が一体に形成されている。そして、突軸４４を備えた全ての親骨４の根元部４ａを、図５Ｂに示すように親骨枢支ディスク２０の上面に開口する親骨収容溝３８および突軸枢支溝４２に取り付けると、図５Ｂに示す状態となる。
【００３２】
図６Ａ，図６Ｂは親骨外れ防止ナット２２の断面図および底面図を示し、その軸孔４７の内周面には、上ろくろ本体１８の円筒部３１の雄ねじ３２に螺着される雌ねじ４８を備え、かつ底面の軸孔４７の周囲には、親骨枢支ディスク２０の突縁４６に嵌着される環状凹部５０を備えている。この親骨外れ防止ナット２２は、図５Ｂに示すようにすべての親骨４の根元部４ａを取り付けた親骨枢支ディスク２０に上方から嵌着することによって、親骨の外れ防止して、上ろくろ３に対する親骨の取り付け作業を容易にする機能を有する。
【００３３】
なお、親骨外れ防止ナット２２の代わりに、上ろくろ本体１８の円筒部３１の根元に比較的きつく嵌着される親骨外れ防止リングを用いてもよい。
【００３４】
以上のような構成を有する上ろくろ本体１８および親骨枢支ディスク２０を備えた上ろくろ３を中軸２に取り付ける場合には、先ず上ろくろ本体１８の突起２４，２４と、中軸２の上ろくろ位置決め孔１６，１６との方位を整合させた態様で上ろくろ本体１８を上方から中軸２に挿入するが、突起２４，２４が中軸２に当接すると、割溝３４，３４が突起２４，２４よりも下方まで延びていることにより、上ろくろ本体１８が弾性的に開いて中軸２の外周面における突起２４，２４の摺動が許容され、突起２４，２４が上ろくろ位置決め孔１６，１６に係入した時点で、上ろくろ本体１８は原状に復帰する。
【００３５】
次に、上方から中軸２に挿入した親骨枢支ディスク２０を上ろくろ本体１８の円筒部３１に嵌着し、親骨枢支ディスク２０の位置決め突起４０を上ろくろ本体１８のフランジ３０の位置決め孔３６に嵌合させた状態で、親骨枢支ディスク２０にすべての親骨４の根元部を枢支させた後、親骨枢支ディスク２０の上方に露出する雄ねじ３２に親骨外れ防止ナット２２を螺着して親骨枢支ディスク２０の上面に蓋をする。
【００３６】
図７Ａ，図７Ｂは陣笠と呼ばれる固定部材５の断面図および底面図を示し、この陣笠５は、その中軸２に挿通する軸孔５１の中間部に、上ろくろ本体１８の雄ねじ３２に嵌着される雌ねじ５２を備え、かつその底面に、親骨外れ防止ナット２２を収容する凹部５２を備えている。そして、中軸２が挿通される中心孔（図示せず）を備えた生地Ｓを親骨外れ防止ナット２２上に被せた後、陣笠５を上ろくろ本体１８の雄ねじ３２の上端部に螺着することにより、上ろくろ３が中軸２に強固に固定される。
【００３７】
次の図８Ａは、本発明の第２の実施形態による上ろくろを備えた傘の上端部を、図２に対応させて示す分解正面図である。なお、図８Ａにおいても、一対の上ろくろ位置決め孔１６を備えた中軸２が、その軸線の周りで９０°回転した状態で示されている。
【００３８】
本実施の形態における上ろくろ１０３Ａは、上ろくろ本体１１８と、親骨枢支ディスク１２０と、親骨止め輪１２１Ａとによって構成されている。上ろくろ１０３の上には生地Ｓを介して石突き１１４Ａが螺着される。なお、親骨止め輪１２１Ａおよび石突き１１４Ａに代えて、図８Ｂに示すような陣笠タイプの親骨止め輪１２１Ｂおよび石突き１１４Ｂを用いてもよい。
【００３９】
図９Ａ〜図９Ｃは上ろくろ本体1１８を示し、図９Ａは平面図、図９Ｂは正面図、図９Ｃは一方の半円筒体１１８ａの底面図である。
【００４０】
この上ろくろ本体１１８は、軸線を含む面Ｆ（図９Ａ参照）に沿って２分割された一対の半円筒体１１８ａ，１１８ｂからなり、これら半円筒体１１８ａ，１１８ｂが突き合せられて円筒体を形成した状態で、中軸２の上ろくろ位置決め穴１６に係入される一対の突起１２４，１２４を、上記面Ｆに対して軸線上で直交する面上に備えている。上ろくろ本体１１８の外周面の下端には、親骨枢支ディスク１２０を受けるフランジ１３０が形成され、このフランジ１３０の上方に、親骨枢支ディスク１２０が嵌着される円筒部１３１が連接され、さらに円筒部１３１の上方に連接して、雄ねじ１３２が上端まで形成されている。上記円筒部１３１は、図３Ａ〜図３Ｃに示された上ろくろ本体１８の円筒部３１よりも上下方向の寸法が厚くなっている。
【００４１】
円筒部１３１の外周面には、親骨枢支ディスク１２０に対する回り止め用突条１４０，１４０が上記突起１２４，１２４に対応する位置に上下方向に延設されている。また、一対の半円筒体１１８ａ，１１８ｂの対向面の一方には突起１４１，１４１が、他方には、各突起１４１と係合する凹部１４３が形成されている。
【００４２】
図１０Ａ〜図１０Ｄは親骨枢支ディスク１２０を示し、図１０Ａは平面図、図１０Ｂは正面図、図１０Ｃは底面図、図１０Ｄは図１０Ａの１０Ｄ−１０Ｄ線に沿った断面図である。
【００４３】
上ろくろ本体１１８の円筒部１３１に嵌着可能に構成された親骨枢支ディスク１２０は、上記円筒部１３１に対応する厚さを有し、かつ円筒部１３１に嵌着可能な内径の軸孔１３７を備えて環状に構成され、８個の親骨収容溝１３８を放射状に備えている。親骨枢支ディスク１２０の底面の軸孔１３７の周囲には、上ろくろ本体１１８のフランジ１３０を収容する環状凹部１４５が形成され、さらに軸孔１３７には、上ろくろ本体１１８の回り止め用突条１４０，１４０と係合する凹溝１３６，１３６が上下方向に延設されている。
【００４４】
親骨枢支ディスク１２０の上面には、親骨４の根元部に形成された突軸４４（図５Ａ参照）を枢支するための突軸枢支溝１４２が、各親骨収容溝１３８の両側に親骨収容溝１３８と直交するように形成されている。また、親骨枢支ディスク１２０の上面の軸孔１３７の周囲には突縁１４６が形成されている。さらに、親骨枢支ディスク１２０の上面の周縁部の２箇所には、親骨止め輪１２１Ａまたは１２１Ｂを取り外す作業を容易にする切欠き１４７が形成されている。
【００４５】
図１１Ａおよび図１１Ｂは親骨止め輪１２１Ａおよび１２１Ｂの断面図である。図１１Ａに示す親骨止め輪１２１Ａは、親骨枢支ディスク１２０の突縁１４６に嵌着される軸孔１２１ａを備えて、親骨枢支ディスク１２０の上面に蓋をする単なる環状体であるが、図１１Ｂに示す親骨止め輪１２１Ｂは、親骨枢支ディスク１２０の突縁１４６を収容する環状凹部１２１ｂと、上ろくろ本体１１８の雄ねじ１３２に螺着される雌ねじ１２１ｃとを備えた陣笠タイプの部材である。親骨止め輪１２１Ａおよび１２１Ｂの周縁下端には、分解時の取外しを容易にするために切欠き１２１ｄが形成されている。
【００４６】
以上のような構成を有する上ろくろ本体１１８、親骨枢支ディスク１２０および親骨止め輪１２１Ａまたは１２１Ｂからなる上ろくろ１０３Ａまたは１０３Ｂを中軸２に取り付ける場合には、先ず上ろくろ本体１１８の半円筒体１１８ａ，１１８ｂを、各突起１２４をそれぞれ中軸２の上ろくろ位置決め孔１６，１６に係入させる態様で左右から中軸２に宛がって、上ろくろ本体１１８を組み立てる。
【００４７】
次に、上方から中軸２に挿入した親骨枢支ディスク１２０を上ろくろ本体１１８の円筒部１３１に嵌着し、親骨枢支ディスク１２０にすべての親骨４の根元部を枢支させた後、図１２Ａの下部に示すように、親骨枢支ディスク１２０の突縁１４６に親骨止め輪１２１Ａを嵌着し、あるいは、図１２Ｂの下部に示すように、親骨枢支ディスク１２０の突縁１４６から上方に突出する雄ねじ１３２に親骨止め輪１２１Ｂを螺着する。
【００４８】
図１２Ａ，図１２Ｂの上部にはそれぞれ石突き（固定部材）１１４Ａ，１１４Ｂが示されており、石突き１１４Ａは、中軸２の上端が挿入される中心孔１５１の下端部に、上ろくろ１０３Ａの上ろくろ本体１１８の親骨止め輪１２１Ａの上方に突出する雄ねじ１３２に螺着される雌ねじ１５２を備えており、また、石突き１１４Ｂは、中心孔１５１および雄ねじ１３２に加えて、親骨止め輪１２１Ｂの上部を収容する凹部１５３を備えている。
【００４９】
そして、上ろくろ１０３Ａに関しては、雄ねじ１３２部分が挿通される中心孔（図示せず）を備えた生地Ｓの中心部を親骨止め輪１２１Ａ上に被せた後、石突き１１４Ａを螺着することにより、上ろくろ１０３Ａが中軸２に強固に固定され、上ろくろ１０３Ｂに関しては同様に、石突き１１４Ｂを螺着することにより、上ろくろ１０３Ｂが中軸２に強固に固定される。
【００５０】
次に、中軸２に摺動自在に嵌装される下ろくろ６は、図１３Ａ〜図１３Ｄに示す支え骨枢支部材５４と、この支え骨枢支部材５４の下側に連結される、図１４Ａ〜図１４Ｃに示すような下ろくろ本体５６とから構成されている。
【００５１】
図１３Ａは支え骨枢支部材５４の平面図、図１３Ｂは正面図、図１３Ｃは底面図、図１３Ｄは図１３Ａの１３Ｄ−１３Ｄ線に沿った断面図である。
【００５２】
中軸２が通る軸孔５７を備えた支え骨枢支部材５４は、支え骨８の根元部を収容するための８個の支え骨収容溝５８を軸孔５７の周囲にほぼ等間隔に放射状に形成した比較的厚い環状の支え骨枢支ディスク部６０と、このディスク部６０の下面から同軸的に一体に垂設された、下ろくろ本体５６との連結用円筒部６２とから構成され、ディスク部６０の下面には、図５Ａに示した親骨４の場合と同様に支え骨８の根元部に形成された突軸（図示せず）を枢支するための突軸枢支溝６４が、各支え骨収容溝５８の両側に支え骨収容溝５８と直交するように形成されている。またディスク部６０の下面には、下ろくろ本体５６に対して支え骨枢支部材５４を位置決めするための位置決め穴６６も開口している。連結用円筒部６２の外周には、係合突条６８が環設されている。
【００５３】
図１４Ａは下ろくろ本体５６の平面図、図１４Ｂはその正面図、図１４Ｃは図１４Ａの１４Ｃ−１４Ｃに沿った断面図である。下ろくろ本体５６は、上記支え骨枢支部材５４の軸孔５７と同径の軸孔６７を有し、かつ傘１の開閉操作時の掴み部となる細長い円筒部７０を備えた下ろくろ本体５６は、支え骨枢支部材５４のディスク部６０とほぼ同径のフランジ７０を上端に備え、上面中央には、支え骨枢支部材５４の円筒部６２を取り外し可能に嵌着させる凹部７２が同軸的に開口している。凹部７２の内周面には、支え骨枢支部材５４の円筒部６２の外周面に形成された突条６８と係合する溝７４が環設されている。また、円筒部７０の周面には、「はじき」と呼ばれる留め金１２を出没させる細長い開口部７６が形成されている。
【００５４】
フランジ７０の上面には、支え骨枢支部材５４の位置決め用孔６６に係入する２本の位置決め用突起７８，７８が凹部７２を挟んで対向しており、さらに、突起７８，７８と９０°偏位した位置のフランジ７０の周縁の上面の２箇所には、その部位のフランジ部分が下方へ湾曲した態様でフランジ７０の厚さとほぼ同一の深さを有する凹溝８０，８０が形成されている。これら凹溝８０，８０は、支え骨枢支部材５４が下ろくろ本体５６に嵌着された場合に、ディスク部６０との間にギャップを形成し、支え骨枢支部材５４を下ろくろ本体５６から取り外す場合には、適当な取外し用工具の先端をこのギャップに介入させ、かつ工具をこじることによって、係合突条６８と係合溝７４との係合が外れて、支え骨枢支部材５４と下ろくろ本体５６とを分離させることができるようになっている。
【００５５】
図１５は、中軸２の下端部とともに示す手元１０の一部を断面とした分解正面図である。この手元１０は、中軸２の下端部の挿入孔８２を有する端部の外周に雄ねじ８４を形成した合成樹脂製の手元本体９０と、中軸２が挿通される軸孔８６を備えかつ手元本体９０の雄ねじ８４に螺着される雌ねじ８８を軸孔８６の手元本体９０側に形成した手元固定キャップ９２とを有する。
【００５６】
手元本体９０の中軸挿入孔８２に挿入される中軸２の端部には、下端から所定距離だけ隔てた位置に環状溝８１が形成され、この環状溝８１に、中軸２が中軸挿入孔８２から抜け出るのを防止する抜け手段を手元固定キャップ９２とともに構成するストップリング９３が嵌着される。中軸２の先端縁の一部には回転防止用の切欠き８３が形成されている。
【００５７】
上記ストップリング９３は、環状溝８１に嵌着された状態における外径が、手元固定キャップ９２の軸孔８６の内径よりも大径でかつ雌ねじ８８の内径よりも小径になるように形成されている。
【００５８】
一方、手元本体９０の中軸挿入孔８２の底端には、中軸２の切欠き８３と係合する係合部９４が設けられている。図１６Ａは手元本体９０の要部の平面図を示し、図１６Ｂは図１５の１６Ｂ−１６Ｂ線に沿った断面図である。この係合部９４は、中軸２の切欠き８３が約９０°の角度間隔を保って４個形成されている場合には、図１６Ａおよび図１６Ｂに示すように、十字状の突縁からなり、中軸２の切欠き８３が約１８０°の角度間隔を保って２個形成されている場合には、図１６Ｃに示すようにＩ字状の突縁からなる。
【００５９】
このような構成を有する手元１０を中軸２に取り付ける場合には、先ず手元固定キャップ９２を中軸２の環状溝８１が設けられている部位よりも上方まで挿入して環状溝８１を手元固定キャップ９２の下端よりも下方に露出させ、この環状溝８１にストップリング９３を嵌着する。一方、手元本体９０の雄ねじ８４の根元には予めワッシャ９５を嵌めておく。次に中軸２の下端部を手元本体９０の中軸挿入孔８２に挿入し、中軸２の切欠き８３を係合部９４に係合させる。次に手元固定キャップ９２を手元本体９０の雄ねじ８４に螺着すると、図１７に示す状態となり、手元１０が中軸２に強固に、かつ取外し可能に固定される。
【００６０】
次に親骨４に対する生地（シート）の取付け構造について図１８および図１９Ａ，図１９Ｂを参照して説明する。図１８は生地Ｓの部分的裏面図、図１９Ａは図１８のＡ部の拡大図、図１９Ｂは生地Ｓのループ状片９６に親骨を挿通した状態を示す図１８のＡ部の拡大図である。
【００６１】
本実施の形態においては、８本の親骨４が上ろくろ３を中心にして取り付けられる生地Ｓの裏面の親骨４との接触部に、各親骨４がそれぞれ遊びなく挿通される寸法を有するループ状片９６が予め生地Ｓに縫い込まれている。
【００６２】
生地Ｓに対するループ状片９６の取付け位置は、親骨４の両端のほぼ中間に対応する位置で、かつ親骨４に対する支え骨８の枢支点Ｐ（図１参照）よりも先端側に設定される。そして、親骨４に対する生地（シート）Ｓの取付けに際しては、親骨４の組付けに先立って８本の親骨４を所謂「お猪口」状態にすることにより、各親骨４の露先側からそれぞれループ状片９６を親骨４に挿入することができ、これによって生地Ｓと８本の親骨４とを容易に結合することができる。
【００６３】
次に、上ろくろ３を有する傘１の、分解、廃棄に際しての好ましい分解手順について説明する。
【００６４】
（１）先ず、傘１を開いた状態で、支え骨枢支部材５４を前記した態様で下ろくろ本体５６から外し、すべての支え骨８の根元部を支え骨枢支部材５４から外す。
【００６５】
（２）陣笠５を緩む方向に回して上ろくろ本体１８の円筒部３１から外して中軸２から抜き取り、次いで親骨外れ防止ナット２２を円筒部３１から外して、すべての親骨４の根元部を親骨枢支ディスク２０から外して、親骨４を生地Ｓおよび支え骨８とともに中軸２から取り去る。この際、親骨４を所謂「お猪口」状態にすることにより、生地Ｓのループ状片９６を各親骨４の露先側に抜くことにより、生地Ｓを親骨４から外すことができる。
【００６６】
（３）親骨枢支ディスク２０、上ろくろ本体１８、支え骨枢支部材５４および下ろくろ本体５６を中軸２から上方へ抜き去る。
【００６７】
（４）手元１０の手元固定キャップ９２を緩む方向に回して手元本体９０から外し、中軸２を手元本体９０から抜き去り、次いで手元固定キャップ９２を中軸２の上方へ抜き去る。
【００６８】
このようにして、金属製部材と樹脂製部材とが容易に分離され、完全な分別廃棄を可能にする。
【図面の簡単な説明】
【００６９】
【図１】本発明による上ろくろの第１の実施を備えた傘の閉状態における全体構成を、一部を省略して示す概略図
【図２】図１の傘の上端部の分解正面図
【図３Ａ】図１の傘の上ろくろ本体の平面図
【図３Ｂ】図３Ａの上ろくろ本体の正面図
【図３Ｃ】図３Ａの上ろくろ本体の底面図
【図３Ｄ】図３Ａの３Ｄ−３Ｄ線に沿う断面図
【図４Ａ】図１の傘の親骨枢支ディスクの平面図
【図４Ｂ】図４Ａの親骨枢支ディスクの正面図
【図４Ｃ】図４Ａの親骨枢支ディスクの底面図
【図４Ｄ】図４Ａの４Ｄ−４Ｄ線に沿った断面図
【図５Ａ】親骨の根元部の底面図
【図５Ｂ】親骨の根元部が親骨枢支ディスクに枢支された状態を示す平面図
【図６Ａ】親骨外れ防止ナットの断面図
【図６Ｂ】親骨外れ防止ナットの底面図
【図７Ａ】陣笠の断面図
【図７Ｂ】陣笠の底面図
【図８Ａ】本発明による上ろくろの第２の実施を備えた傘の上端部の分解正面図
【図８Ｂ】図８Ａの傘の変形を示す上端部の分解正面図
【図９Ａ】図８Ａの傘の上ろくろ本体の平面図
【図９Ｂ】図９Ａの上ろくろ本体の正面図
【図９Ｃ】図９Ｂの上ろくろ本体の一方の半円筒体の底面図
【図１０Ａ】図８Ａの傘の親骨枢支ディスクの平面図
【図１０Ｂ】図１０Ａの親骨枢支ディスクの正面図
【図１０Ｃ】図１０Ａの親骨枢支ディスクの底面図
【図１０Ｄ】図１０Ａの１０Ｄ−１０Ｄ線に沿った断面図
【図１１Ａ】親骨止め輪の断面図
【図１１Ｂ】親骨止め輪の変形を示す断面図
【図１２Ａ】図８Ａの傘の上ろくろを石突きとともに示す分解正面図
【図１２Ｂ】図８Ｂの傘の上ろくろを石突きとともに示す分解正面図
【図１３Ａ】支え骨枢支部材の平面図
【図１３Ｂ】支え骨枢支部材の正面図
【図１３Ｃ】支え骨枢支部材の底面図
【図１３Ｄ】図１３Ａの１３Ｄ−１３Ｄ線に沿った断面図
【図１４Ａ】下ろくろ本体の平面図
【図１４Ｂ】下ろくろ本体の正面図
【図１４Ｃ】図１４Ａの１４Ｃ−１４Ｃに沿った断面図
【図１５】中軸の下端部とともに示す一部を断面とした手元の分解正面図
【図１６Ａ】手元本体の要部の拡大平面図
【図１６Ｂ】図１５の１６Ｂ−１６Ｂ線に沿った拡大断面図
【図１６Ｃ】図１６Ｂの変形を示す拡大断面図
【図１７】中軸と手元との結合状態を示す断面図
【図１８】生地の部分的裏面図
【図１９Ａ】図１８のＡ部の拡大図
【図１９Ｂ】生地のループ状片に親骨を挿通した状態を示す図１８のＡ部の拡大図
【符号の説明】
【００７０】
１    傘
２    中軸
３，１０３Ａ，１０３Ｂ    上ろくろ
４    親骨
６    下ろくろ
８    支え骨
１０    手元
１２    支え骨
１４，１１４Ａ，１１４Ｂ    石突き
１６    上ろくろ位置決め穴
１８，１１８    上ろくろ本体
２０，１２０    親骨枢支ディスク
２２    親骨外れ防止ナット
２４，１２４    係合突起
２８，３８，１３８    親骨収容溝
３０，１３０    フランジ
３４    割溝
４２，６４，１４２    突軸枢支溝
５４    支え骨枢支部材
９０    手元本体
９２    手元固定キャップ
９６    ループ状片
【図１】
2008125953.tif 000003
【図２】
2008125953.tif 000004
【図３Ａ】
2008125953.tif 000005
【図３Ｂ】
2008125953.tif 000006
【図３Ｃ】
2008125953.tif 000007
【図３Ｄ】
2008125953.tif 000008
【図４Ａ】
2008125953.tif 000009
【図４Ｂ】
2008125953.tif 000010
【図４Ｃ】
2008125953.tif 000011
【図４Ｄ】
2008125953.tif 000012
【図５Ａ】
2008125953.tif 000013
【図５Ｂ】
2008125953.tif 000014
【図６Ａ】
2008125953.tif 000015
【図６Ｂ】
2008125953.tif 000016
【図７Ａ】
2008125953.tif 000017
【図７Ｂ】
2008125953.tif 000018
【図８Ａ】
2008125953.tif 000019
【図８Ｂ】
2008125953.tif 000020
【図９Ａ】
2008125953.tif 000021
【図９Ｂ】
2008125953.tif 000022
【図９Ｃ】
2008125953.tif 000023
【図１０Ａ】
2008125953.tif 000024
【図１０Ｂ】
2008125953.tif 000025
【図１０Ｃ】
2008125953.tif 000026
【図１０Ｄ】
2008125953.tif 000027
【図１１Ａ】
2008125953.tif 000028
【図１１Ｂ】
2008125953.tif 000029
【図１２Ａ】
2008125953.tif 000030
【図１２Ｂ】
2008125953.tif 000031
【図１３Ａ】
2008125953.tif 000032
【図１３Ｂ】
2008125953.tif 000033
【図１３Ｃ】
2008125953.tif 000034
【図１３Ｄ】
2008125953.tif 000035
【図１４Ａ】
2008125953.tif 000036
【図１４Ｂ】
2008125953.tif 000037
【図１４Ｃ】
2008125953.tif 000038
【図１５】
2008125953.tif 000039
【図１６Ａ】
2008125953.tif 000040
【図１６Ｂ】
2008125953.tif 000041
【図１６Ｃ】
2008125953.tif 000042
【図１７】
2008125953.tif 000043
【図１８】
2008125953.tif 000044
【図１９Ａ】
2008125953.tif 000045
【図１９Ｂ】
2008125953.tif 000046